(57)【特許請求の範囲】
【請求項１】
長方形の板状の押え具本体を設け、この押え具本体の下部にスペーサーを介在して磁石を固設し、押え具本体の上部に押え具本体の長手方向の縁より張り出して押え部を構成した押え板を固設して押え具を構成し、上記押え板の押え部を打ち抜き刃型の縁上に配置し、押え具の磁石によりこの押え具をチースプレート上に固定し、打ち抜き刃型をチースプレート上に押圧固定するようにしたことを特徴とする印刷物の打ち抜き刃型の固定装置。
【発明の詳細な説明】
【技術分野】
【０００１】
本発明は、印刷機で印刷されたラベル、シール等の印刷物を、その単位印刷物毎に打ち抜く打ち抜き刃型の固定装置並びにその押え具に関する。
【背景技術】
【０００２】
従来から、ラベル、シール等の印刷物を打ち抜く作業は、印刷物を打ち抜きプレスするプレス機に装着したチースプレートに打ち抜き刃型を固定して、プレス作業により行われている。
例えば、打ち抜き刃型の固定の一例として、チースプレート上に刃台を固定し、この刃台上に打ち抜き刃を固定した打ち抜き刃型を位置合わせして載置し、押え板を打ち抜き刃型の縁上に押えてネジ止めすることにより打ち抜き刃型をチースプレート上に固定していた（例えば特許文献１）。
この他にも両面接着テープを使用して打ち抜き刃型をチースプレート上に接着する手段もとられていた。
【先行技術文献】
【特許文献】
【０００３】
【特許文献１】特許第２６５７６０９号公報
【発明の開示】
【発明が解決しようとする課題】
【０００４】
上記従前公知の打ち抜き刃型の固定装置では、チースプレート上に刃台を固定し、この刃台上に上記刃型を位置調節して固定していた。そのため、大きさの相違する打ち抜き刃型を固定するためには、上記刃型の大きさに合う複数の刃台を用意しておかなければならない複雑さがあった。更には、刃台上に打ち抜き刃型の位置調節をしなければならない作業上の面倒もあった。
本発明は、上記課題に鑑み、刃台を省略して直接チースプレート上に打ち抜き刃型を固定して複数の刃台を用意しなければならない複雑さをなくし、固定作業を簡単にする新規な打ち抜き刃型の固定装置とその押え具を提供することを目的とする。
【課題を解決するための手段】
【０００５】
そのために、本発明の印刷物の打ち抜き刃型の固定装置は、長方形の板状の押え具本体を設け、この押え具本体の下部に磁石を固設し、押え具本体の上部に押え具本体の長手方向の縁より張り出して押え部を構成した押え板を固設して押え具を構成し、上記押え板の押え部を打ち抜き刃型の縁上に配置し、押え具の磁石によりこの押え具をチースプレート上に固定し、打ち抜き刃型をチースプレート上に押圧固定するようにしたことを特徴とする。
【０００６】
また、本発明の印刷物の打ち抜き刃型の固定装置のための押え具は、長方形の板状の押え具本体を設け、この押え具本体の下部に磁石を固設し、押え具本体の上部に押え具本体の長手方向の縁より張り出して押え部を構成した押え板を固設してなることを特徴とする。
さらに、上記押え具は、上記押え具本体と磁石との間にスペーサーを固設してなることを特徴とする。
【０００７】
また、本発明の印刷物の打ち抜き刃型の固定装置は、直角に張り出し部を張り出して配置した板状からなる押え具本体を設け、この押え具本体の後方に板状の操作部を張り出して設け、押え具本体の張り出し部の下部に磁石を固設し、押え具本体の張り出し部の上部に押え板を内向きに張り出して固設して角用押え具を構成し、四角状の打ち抜き刃型の四隅の縁に上記角用押え具の張り出し部の内面を接合して、この角用押え具をその磁石によりチースプレートに固定し、角用押え具の押え板により打ち抜き刃型をチースプレート上に押圧固定するようにしたことを特徴とする。
【０００８】
さらに、本発明の印刷物の打ち抜き刃型の固定装置は、上記角用押え具とは別に、打ち抜き刃型の角間の縁用の押え具を構成し、この縁用押え具が長方形の板状の押え具本体を設け、この縁用押え具本体の側方に板状の操作部を張り出して設け、この縁用押え具本体の下部に磁石を固設し、縁用押え具本体の上部に上記操作部と反対方向に張り出して押え板を固設してなり、この縁用押え具により打ち抜き刃型の四隅間の中間の縁部を押圧固定することを特徴とする。
【０００９】
また、本発明の印刷物の打ち抜き刃型の固定装置は、四角状の打ち抜き刃型をアルミニュウム板又は塩化ビニール板とアクリル合成樹脂板とを重合して構成してあり、上記アルミニュウム板又は塩化ビニール板の縁をアクリル合成樹脂板の縁より僅かに外方に張り出して構成してあり、四角状の打ち抜き刃型の張り出したアルミニュウム板又は塩化ビニール板の四隅の縁に上記角用押え具の張り出し部の内面を接合して、この角用押え具をその磁石によりチースプレートに固定し、角用押え具の押え板により上記打ち抜き刃型の張り出したアルミニュウム板又は塩化ビニール板をチースプレートに押圧固定するようにしたことを特徴とする。
【００１０】
さらに、本発明の印刷物の打ち抜き刃型の固定装置は、上記縁用押え具により、打ち抜き刃型の四隅間の中間の縁部の張り出したアルミニュウム板又は塩化ビニール板を押圧固定することを特徴とする。
また、本発明の印刷物の打ち抜き刃型の固定装置は、上記角用押え具及び縁用押え具の張り出して設けた板状の操作部を僅かに斜め上向き傾斜させてあることを特徴とする。
【００１１】
次に、本発明の印刷物の打ち抜き刃型の固定装置のための角用押え具は、直角に張り出し部を張り出して配置した板状からなる押え具本体を設け、この押え具本体の後方に板状の操作部を張り出して設け、押え具本体の張り出し部の下部に磁石を固設し、押え具本体の張り出し部の上部に押え板を内向きに張り出して固設してなることを特徴とする。
【発明の効果】
【００１２】
本発明の印刷物の打ち抜き刃型の固定装置は、長方形の板状の押え具本体を設け、この押え具本体の下部に磁石を固設し、押え具本体の上部に押え具本体の長手方向の縁より張り出して押え部を構成した押え板を固設して押え具を構成し、上記押え板の押え部を打ち抜き刃型の縁上に配置し、押え具の磁石によりこの押え具をチースプレート上に固定し、打ち抜き刃型をチースプレート上に押圧固定するようにしたことを特徴とするから、従前装置に必要であった刃台を省略して直接チースプレート上に打ち抜き刃型を固定することができ、構成を簡単化し得た効果を有し、さらに、固定作業も簡単化できた効果を有する。加えて、打ち抜き刃型の大きさに関係なく押え具の数を調整して打ち抜き刃型をチースプレートに固定することができる効果を有する。
【００１３】
本発明の印刷物の打ち抜き刃型の固定装置のための押え具は、長方形の板状の押え具本体を設け、この押え具本体の下部に磁石を固設し、押え具本体の上部に押え具本体の長手方向の縁より張り出して押え部を構成した押え板を固設してなることを特徴とするから、この押え具の数を調整して大きさの相違する打ち抜き刃型をチースプレート上に固定することができる効果を有する。
また、本発明の印刷物の打ち抜き刃型の固定装置のための押え具は、上記押え具本体と磁石との間にスペーサーを固設してなることを特徴とするから、スペーサーの厚みを調節して、厚みの相違する打ち抜き刃型をチースプレート上に固定することができる効果を有する。
【００１４】
本発明の印刷物の打ち抜き刃型の固定装置は、直角に張り出し部を張り出して配置した板状からなる押え具本体を設け、この押え具本体の後方に板状の操作部を張り出して設け、押え具本体の張り出し部の下部に磁石を固設し、押え具本体の張り出し部の上部に押え板を内向きに張り出して固設して角用押え具を構成し、四角状の打ち抜き刃型の四隅の縁に上記角用押え具の張り出し部の内面を接合して、この角用押え具をその磁石によりチースプレートに固定し、角用押え具の押え板により打ち抜き刃型をチースプレート上に押圧固定するようにしたことを特徴とするから、従前装置に必要であった刃台を省略して直接チースプレート上に打ち抜き刃型を固定することができ、構成を簡単化し得た効果を有し、さらに、固定作業も簡単化できた効果を有する。加えて、アルミニュウム板又は塩化ビニール板が直接チースプレートに当たるので、ムラ取り時間等の調整が軽減できる効果もある。
【００１５】
また、本発明の印刷物の打ち抜き刃型の固定装置は、上記角用押え具とは別に、打ち抜き刃型の角間の縁用の押え具を構成し、この縁用押え具が長方形の板状の押え具本体を設け、この縁用押え具本体の側方に板状の操作部を張り出して設け、この縁用押え具本体の下部に磁石を固設し、縁用押え具本体の上部に上記操作部と反対方向に張り出して押え板を固設してなり、この縁用押え具により打ち抜き刃型の四隅間の中間の縁部を押圧固定することを特徴とするから、大型の打ち抜き刃型でも、簡単に固定することができ、同じく固定作業を簡単化することができた効果を有する。
【００１６】
さらに、本発明の印刷物の打ち抜き刃型の固定装置は、四角状の打ち抜き刃型をアルミニュウム板又は塩化ビニール板とアクリル合成樹脂板とを重合して構成してあり、上記アルミニュウム板又は塩化ビニール板の縁をアクリル合成樹脂板の縁より僅かに外方に張り出して構成してあり、四角状の打ち抜き刃型の張り出したアルミニュウム板又は塩化ビニール板の四隅の縁に上記角用押え具の張り出し部の内面を接合して、この角用押え具をその磁石によりチースプレートに固定し、角用押え具の押え板により上記打ち抜き刃型の張り出したアルミニュウム板又は塩化ビニール板をチースプレートに押圧固定するようにしたことを特徴とするから、アクリル合成樹脂板よりアルミニュウム板又は塩化ビニール板の縁を僅かに張り出して構成した打ち抜き刃型であっても、同様に簡単にチースプレート上に固定でき、同じく作業性も簡単になし得た効果を有する。
【００１７】
また、本発明の印刷物の打ち抜き刃型の固定装置は、上記縁用押え具により、打ち抜き刃型の四隅間の中間の縁部の張り出したアルミニュウム板又は塩化ビニール板を押圧固定することを特徴とするから、アクリル合成樹脂板よりアルミニュウム板又は塩化ビニール板の縁を張り出して構成した大型の刃型であっても、簡単に安定してチースプレート上に固定できる効果がある。
【００１８】
さらに、本発明の印刷物の打ち抜き刃型の固定装置は、上記角用押え具及び縁用押え具の張り出して設けた板状の操作部を僅かに斜め上向き傾斜させてあることを特徴とするから、角用押え具及び縁用押え具の操作を、特にこれら角用押え具及び縁用押え具の取り外しを、板状の操作部を押えて簡単になし得る効果を有する。
【００１９】
次に、本発明の印刷物の打ち抜き刃型の固定装置のための角用押え具は、直角に張り出し部を張り出して配置した板状からなる押え具本体を設け、この押え具本体の後方に板状の操作部を張り出して設け、押え具本体の張り出し部の下部に磁石を固設し、押え具本体の張り出し部の上部に押え板を内向きに張り出して固設してなることを特徴とするから、数少ない押え具を使用して、大きさの相違する打ち抜き刃型をチースプレート上に固定することができる効果を有する。
【図面の簡単な説明】
【００２０】
【図１】本発明の印刷物の打ち抜き刃型の固定装置の基本的実施例の斜面図である。
【図２】図１に示した本発明装置の基本的実施例の分離斜面図である。
【図３】図１に示した本発明装置の基本的実施例の平面図である。
【図４】図１に示した本発明装置の基本的実施例のための基本的な押え具の実施例の斜面図である。
【図５】図４に示した基本的な押え具の実施例の分解斜面図である。
【図６】図１に示した本発明装置の基本的実施例のための押え具の別の実施例の分解斜面図である。
【図７】本発明の印刷物の打ち抜き刃型の固定装置の別の実施例の固定状態の斜面図である。
【図８】図７に示した本発明の固定装置の別の実施例の分離斜面図である。
【図９】大型の打ち抜き刃型の固定装置の別の実施例の平面図である。
【図１０】本発明の印刷物の打ち抜き刃型の固定装置のさらに別の実施例の平面図である。
【図１１】図１０図示の打ち抜き刃型の実施例の正面図である。
【図１２】図１０図示の打ち抜き刃型の大型の実施例の平面図である。
【発明を実施するための形態】
【実施例１】
【００２１】
図面に示した実施例により本発明の詳細を説明する。
図１乃至図６に本発明の印刷物の打ち抜き刃型の固定装置とそのための押え具の基本的な実施例１を示してある。
図中符号１が打ち抜き刃型で、同寸法の四角状のアクリル合成樹脂板２とアルミニュウム板３又は塩化ビニール板とを一体に重合してアクリル合成樹脂板２に打ち抜き刃４を固設してある。この打ち抜き刃は四角状であったり、円形状であったりその他種々の形状がある。符号５が上記打ち抜き刃型１を固定するプレス機に装着するチースプレートである。
本発明では、上記打ち抜き刃型１を上記チースプレート５に固定するために、押え具１３を使用する。
【００２２】
この押え具１３は、長方形の板状の押え具本体８を設け、この押え具本体８の下部に磁石１０を固設してある。押え具本体８の上部には、押え具本体８の長手方向の縁より張り出して押え部１２を構成した押え板１１を固設してある。この押え具本体８と押え板１１とは金属で構成してあり、両者はスポット熔接により固着してある。
押え具本体８の両端にはネジ孔１４，１４を形成してあり、磁石１０の対応する孔からネジ１８を上記ネジ孔１４，１４に捻じ込み、磁石１０を押え具本体８に固定してある。
【００２３】
図６に示した押え具１３の実施例では、押え具本体８と磁石１０との間にスペーサー１５を挟持してある。このスペーサー１５と押え板１１との押え具本体８のネジ孔１４，１４と対応する位置には、それぞれ孔１６，１６を設け、ネジ１８によりスペーサー１５及び磁石１０を押え具本体８に固設してある。押え具本体８、押え板１１の押え部１２並びにスペーサー１５には、重量を軽減するために楕円形状の抜き孔１７を穿ってある。スペーサー１５は、それぞれ相違する厚みのものを数種類用意してあり、厚さの相違する打ち抜き刃型１のそれぞれに適応するようにしてある。
【００２４】
上記押え具１３により打ち抜き刃型１をチースプレート５上に固定するために、打ち抜き刃型１をチースプレート５上に置き、押え具１３の押え板１１の押え部１２を打ち抜き刃型１の縁上に配置し、望ましくは少なくとも打ち抜き刃型１の角の縁上に配置し、押え具１３の磁石の磁力で磁石１０をチースプレート５上に固定し押え板１１の押え部１２で打ち抜き刃型１を押圧固定する。そのために押え板１１の押え部１２を僅かに下向きに向けておけばよい。また、この実施例１の押え具１３にも以下に説明する実施例２に設けた操作部９を設けてもよい。
【実施例２】
【００２５】
図７乃至図９に本発明装置の実施例２を示してある。
図中符号１が打ち抜き刃型で、同寸法の四角状のアクリル合成樹脂板２とアルミニュウム板３又は塩化ビニール板とを一体に重合してアクリル合成樹脂板２に四角状の打ち抜き刃４を固設してある。符号５が上記打ち抜き刃型１を固定するプレス機に装着するチースプレートである。
本発明では、上記打ち抜き刃型１を上記チースプレート５に固定するために、押え具を使用する。
図７及び図８に示す実施例では、比較的小型の打ち抜き刃型１をチースプレート５に固定するもので、打ち抜き刃型１の四隅を固定する角用押え具６を使用する。
【００２６】
この角用押え具６は、直角に張り出し部７，７を張り出して配置した板状からなる押え具本体８を設け、この押え具本体８の後方に板状からなる操作部９を張り出して設けてある。この板状からなる操作部９は、僅かに斜め上向き傾斜させてあり、角用押え具６を用いて打ち抜き刃型１をチースプレート５に押圧固定する際あるいは取り外す際に、その操作性を良好にする。特にチースプレート５上に固定された打ち抜き刃型１を取り外す際に操作部９を押し下げることにより、容易に取り外し作業ができる。  
【００２７】
角用押え具６の張り出し部７，７の下部には磁石１０，１０を固設してあり、張り出し部７，７の上部には板材を折り曲げて押え部１２を形成した押え板１１を内向きに張り出して固設してある。
【００２８】
上記角用押え具６により打ち抜き刃型１をチースプレート５上に固定するために、打ち抜き刃型をチースプレート５上に置き、四つの角用押え具６をそれぞれ打ち抜き刃型１の四隅に位置付け、その縁に角用押え具６の張り出し部７の内面を接合する。この状態で角用押え具６の磁石１０がチースプレート５に固定し、角用押え具６の押え板１１の押え部１２が打ち抜き刃型１の四隅を押圧し、打ち抜き刃型１をチースプレート５上に強固に押圧固定する（図７図示）。
【００２９】
図９には、図７及び図８に示した打ち抜き刃型１より大型の打ち抜き刃型１をチースプレート５上に固定する実施例を示してある。この実施例において大型の打ち抜き刃型１の四隅を図７及び図８に示したものと同様の角用押え具６により押圧固定し、この角用押え具６，６間の打ち抜き刃型１の縁を押圧固定する縁用の押え具１３を設けてある。この縁用の押え具１３は、長方形の板状の押え具本体を設け、この縁用の押え具本体の側方に板状の操作部を張り出して設け、縁用の押え具本体の下部に磁石を固設し、縁用の押え具本体の上部に上記操作部と反対方向に張り出して押え部を有する押え板を固定してあり、この縁用の押え具１３で打ち抜き刃型１の四隅間の中間の縁部を押圧固定するようにしてある。
角用押え具６と縁用の押え具３とはＹ字形状か長方体形状かの相違があるだけで、押え具本体と磁石と押え板の構成に相違はない。
【実施例３】
【００３０】
図１０及び図１１に示す実施例３では、打ち抜き刃型１の形状が相違するだけで、その他の構成は図７及び図８に示した実施例と相違はない。この図１０及び図１１に示した実施例は、打ち抜き刃型を構成するアルミニュウム板３又は塩化ビニール板とアクリル合成樹脂板２との重合構成が、アルミニュウム板３又は塩化ビニール板の縁をアクリル合成樹脂板２の縁より僅かに外方に張り出して構成してある（図１１図示）。
そして、角用押え具６の押え板１１の押え部１２を張り出しているアルミニュウム板３又は塩化ビニール板の縁を押圧して打ち抜き刃型１をチースプレート５上に押圧固定してある。
【００３１】
図１２には図１０及び図１１に示した打ち抜き刃型１より大型の打ち抜き刃型１をチースプレート５上に固定する実施例が示してあり、この実施例は、図９に示した実施例同様、四隅の角用押え具６だけでなく、縁用の押え具１３により四隅間の縁のアルミニュウム板３の縁を押圧固定してある。
【符号の説明】
【００３２】
１  打ち抜き刃型
２  アクリル合成樹脂板
３  アルミニュウム板
４  打ち抜き刃  
５  チースプレート
６  角用押え具
７  張り出し部
８  押え具本体
９  操作部
１０  磁石    
１１  押え板
１２  押え部
１３  押え具
１４  ネジ孔  
１５  スペーサー
１６  孔
１７  抜き孔
１８  ネジ
【要約】 
【課題】刃台を省略して直接チースプレート上に打ち抜き刃型を固定して複数の刃台を用意しなければならない複雑さをなくし、固定作業を簡単にする新規な打ち抜き刃型の固定装置とその角用押え具を提供する。
【解決手段】長方形の板状の押え具本体８を設け、この押え具本体８の下部に磁石１０を固設し、押え具本体８の上部に押え具本体８の長手方向の縁より張り出して押え部１２を構成した押え板１１を固設して押え具１３を構成し、上記押え板１１の押え部１２を打ち抜き刃型１の縁上に配置し、押え具１３の磁石１０によりこの押え具１３をチースプレート５上に固定し、打ち抜き刃型１をチースプレート５上に押圧固定するようにしたことを特徴とする印刷物の打ち抜き刃型の固定装置。
【選択図】図２【図１】
0005247912.tif 000002
【図２】
0005247912.tif 000003
【図３】
0005247912.tif 000004
【図４】
0005247912.tif 000005
【図５】
0005247912.tif 000006
【図６】
0005247912.tif 000007
【図７】
0005247912.tif 000008
【図８】
0005247912.tif 000009
【図９】
0005247912.tif 000010
【図１０】
0005247912.tif 000011
【図１１】
0005247912.tif 000012
【図１２】
0005247912.tif 000013